(57)【要約】【課題】後方から見たときの警光灯の中央部の視認性を向上し、薄型で安価にする。【解決手段】本警光灯１は、回転放光する回転灯ユニット７と、回転灯ユニット７側へ第１の固定灯光を放光する第１の固定灯ユニット８と、回転灯ユニット７および第１の固定灯ユニット８の間に配置され固定灯光を前方Ｆ１および後方Ｂ１にそれぞれ反射する第１および第２の反射板１１，１２と、第２の反射板１２よりも後方に配置され、複数のスリット４０を含む第３の反射板１３と、第１の固定灯ユニット８の後方に配置された第４の反射板１４と、を有している。第１の固定灯光が第３の反射板１３の固定灯光反射面４２を介して第４の反射板１４で反射されてなる反射光Ｌ２と、回転灯光が第３の反射板１３のスリット４０を通して第４の反射板１４で反射されてなる反射光Ｌ３とを重ね合わせて後方Ｂ１へ照射するようにしてある。【選択図】図７
2011146303.tif 000002
【特許請求の範囲】
【請求項１】
中央部および上記中央部からそれぞれ斜め後方へ延設され上記中央部よりも低位の左右一対の翼部を含むＶ字型の基台と、
上記各翼部の延設端に支持され回転放光する回転灯ユニットと、
上記回転灯ユニット側へ放光するように上記各翼部の基端に固定され、複数のＬＥＤを含む固定灯ユニットと、
上記各翼部において上記回転灯ユニットおよび上記固定灯ユニットの間に配置され、固定灯光を前方および後方にそれぞれ反射する第１および第２の反射板と、
上記各翼部において上記第２の反射板よりも後方に配置され、複数のスリットを含む第３の反射板と、
上記各翼部において、少なくとも一部が上記固定灯ユニットの後方に配置された第４の反射板と、を備え、
上記第３の反射板は、回転灯光を反射させる回転灯光反射面と、上記固定灯光を反射させる固定灯光反射面とを表裏に有し、
上記固定灯光が上記第３の反射板の上記固定灯光反射面を介して上記第４の反射板で反射されてなる反射光と、上記回転灯光が上記第３の反射板の上記スリットを通して上記第４の反射板で反射されてなる反射光とを重ね合わせて後方へ照射するようにしてあることを特徴とする警光灯。
【請求項２】
上記固定灯ユニットは、上記複数のＬＥＤから放射された光を反射することにより平行光にする反射鏡を含む、ことを特徴とする請求項１記載の警光灯。
【請求項３】
上記第４の反射板で反射された反射光が点滅して見えるように、上記固定灯ユニットの点滅の点灯タイミングと上記回転灯ユニットの回転灯光が上記スリットを通る通過タイミングとの少なくとも一方を制御することにより、点灯タイミングと通過タイミングとを互いに同期させる制御部を備える、ことを特徴とする請求項１または２に記載の警光灯。
【発明の詳細な説明】
【技術分野】
【０００１】
本発明は、警光灯に関する。
【背景技術】
【０００２】
警光灯には、例えば、緊急用車両等に設置され、回転閃光等の警告信号を発するものがある。このような警光灯は、具体的には、基台に取り付けられた回転灯と、回転灯からの光を反射する反射板とを有している（例えば、特許文献１，２参照。）。
特許文献１では、車両のルーフ上に設置される警光灯において、反射板にスリットを形成することが提案されている。具体的には、警光灯は、回転灯からの距離が異なる第１および第２の反射板を有している。回転灯に近い側にある第１の反射板にスリットを形成する。このスリットを通った回転灯光が、回転灯から遠い側にある第２の反射板に照射される。回転灯光は、第１および第２の反射板により反射される。
【０００３】
特許文献２では、車両の側面に設置される警光灯において、第１の回転灯からの光を反射する第１の反射板と、第２の回転灯からの光を反射する第２の反射板とを、上下方向にずらして配置することが提案されている。
【先行技術文献】
【特許文献】
【０００４】
【特許文献１】実開昭６３−６３９０３号公報
【特許文献２】特開２００１−２３４０１号公報
【発明の概要】
【発明が解決しようとする課題】
【０００５】
ところで、緊急用車両等のルーフ上に設置される警光灯には、車両の高速走行時の空気抵抗を抑制するために、Ｖ字型の基台を有した薄型のタイプがある。このタイプの基台は、中央部と、この中央部から左右斜め後方に向けて延びる左右一対の翼部を有する。翼部には、回転灯と、反射板とが配置されている。また、中央部には、スピーカが配置されている。警光灯の高さが規制された薄型の警光灯では、スピーカが配置された基台の中央部に、高さが高い回転灯は配置できない。その結果、後方から見たときの警光灯の中央部の視認性が低くなる傾向にある。
【０００６】
また、薄型の警光灯の視認性を高めるために、特許文献１，２の反射板を利用した技術を適用することが考えられる。しかし、特許文献１では、１つの回転灯から一方向に照射された光を分けて第１および第２の反射板で反射するので、各反射板での光が弱くなり、視認性を十分に向上させることができない。また、特許文献２は、薄型の警光灯に適用できない。
【０００７】
さらに、警光灯の製造コストを低減したいという要請もある。
そこで、本発明の目的は、後方から見たときの中央部の視認性を向上できる安価な警光灯を提供することである。
【課題を解決するための手段】
【０００８】
上記の目的を達成するための本発明の警光灯は、中央部および上記中央部からそれぞれ斜め後方へ延設され上記中央部よりも低位の左右一対の翼部を含むＶ字型の基台と、上記各翼部の延設端に支持され回転放光する回転灯ユニットと、上記回転灯ユニット側へ放光するように上記各翼部の基端に固定され、複数のＬＥＤを含む固定灯ユニットと、上記各翼部において上記回転灯ユニットおよび上記固定灯ユニットの間に配置され、固定灯光を前方および後方にそれぞれ反射する第１および第２の反射板と、上記各翼部において上記第２の反射板よりも後方に配置され、複数のスリットを含む第３の反射板と、上記各翼部において、少なくとも一部が上記固定灯ユニットの後方に配置された第４の反射板と、を備え、上記第３の反射板は、回転灯光を反射させる回転灯光反射面と、上記固定灯光を反射させる固定灯光反射面とを表裏に有し、上記固定灯光が上記第３の反射板の上記固定灯光反射面を介して上記第４の反射板で反射されてなる反射光と、上記回転灯光が上記第３の反射板の上記スリットを通して上記第４の反射板で反射されてなる反射光とを重ね合わせて後方へ照射するようにしてあることを特徴とする警光灯である。
【０００９】
本発明によれば、回転灯ユニットにより、周囲の広い範囲からの視認性を高めることができる。また、固定灯ユニットと第１から第４の反射板とにより、前方および後方の視認性をより一層高めることができる。さらに、第４の反射板は、基台の中央部に近接して配置され、且つ回転灯光および固定灯光を重ね合わせて後方に反射できる。従って、後方からの警光灯中央部の視認性を向上することができる。また、回転灯光および固定灯光を、構造の簡素な共通の第４の反射板で反射させるので、製造コストを安価にできる。
【００１０】
また、本発明において、上記固定灯ユニットは、上記複数のＬＥＤから放射された光を反射することにより平行光にする反射鏡を含む場合がある。この場合、ＬＥＤの照射方向の指向性が高い場合であっても、固定灯光を周囲から見たときに、面状に視認できる。従って、視認性をより一層高めることができる。
また、本発明において、上記第４の反射板で反射された反射光が点滅して見えるように、上記固定灯ユニットの点滅の点灯タイミングと上記回転灯ユニットの回転灯光が上記スリットを通る通過タイミングとの少なくとも一方を制御することにより、点灯タイミングと通過タイミングとを互いに同期させる制御部を備える場合がある。この場合、後方からみたときに、第４の反射板からの反射光が、点滅して見えるので、視認性をより一層高めることができる。
【図面の簡単な説明】
【００１１】
【図１】本発明の一実施形態の警光灯の正面図である。
【図２】図１の警光灯の平面図である。
【図３】図１の警光灯の後面図である。
【図４】図１の警光灯の平面視での模式図であり、回転灯光の照射状態を示す。
【図５】図１の警光灯の平面視での模式図であり、第１の固定灯光の照射状態を示す。
【図６】図１の警光灯の平面視での模式図であり、第２の固定灯光の照射状態を示す。
【図７】図１の警光灯の平面視での模式図であり、警光灯中央部から後方への光の照射状態を示す。
【図８】制御部のタイミングチャートである。
【発明を実施するための形態】
【００１２】
以下では、本発明の一実施の形態を、添付図面を参照して詳細に説明する。本実施形態では、緊急用車両等のルーフに取り付けられる警光灯に則して説明する。なお、本実施形態の警光灯を、例えば、看板や装置等に固定して用いることも考えられる。
図１は、本発明の一実施形態の警光灯の正面図である。図２は、図１の警光灯の平面図である。図３は、図１の警光灯の後面図である。先ず、図１および図２を参照して、警光灯１は、車両のルーフ２に設置されている。警光灯１は、一方向に長い外形を有している。警光灯１の長手方向Ｘ１が車両の幅方向（左右方向に相当する。）に沿った状態で、警光灯１は、複数、例えば、２つの取付金具３を介してルーフ２に固定されている。警光灯１は、全周に向けて光を放光することができる。
【００１３】
なお、以下では、警光灯１の長手方向Ｘ１を車両の左右方向に沿わせた状態で、警光灯１を車両に取り付けた場合に則して、方向を説明する。また、後方は、真後ろに向く方向と、真後ろに向く方向に対して微小な角度で傾斜する方向とを含む。また、前方も同様である。また、各図には、必要に応じて前方Ｆ１、後方Ｂ１、上下方向Ｚ１等を矢印で図示した。
【００１４】
警光灯１は、基台５と、基台５の上部を覆う透光性のグローブ６と、回転放光する回転灯ユニット７と、光の照射方向Ａ１が固定された第１の固定灯ユニット８と、光の照射方向Ａ２が固定された第２の固定灯ユニット９と、第１の反射板１１と、第２の反射板１２と、第３の反射板１３と、第４の反射板１４と、第５の反射板１５と、第６の反射板１６と、第７の反射板１７とを有している。
【００１５】
第１〜第４の反射板１１，１２，１３，１４は、第１の固定灯ユニット８からの光（以下、第１の固定灯光ともいう。）を反射する。第３〜第５の反射板１３，１４，１５は、回転灯ユニット７からの光（以下、回転灯光ともいう。）を反射する。また、第６および第７の反射板１６，１７は、第２の固定灯ユニット９からの光（以下、第２の固定灯光ともいう。）を前方Ｆ１へ反射する。
【００１６】
また、警光灯１は、回転灯ユニット７および第１および第２の固定灯ユニット８，９を制御する制御部１９を有している。制御部１９は、基台５に取り付けられていてもよいし、基台５とは別に、例えば、車両の乗員室内に設置されてもよい。また、警光灯１は、所望の音を発するためのスピーカ２０を有している。
警光灯１は、左右対象に構成されている。具体的には、基台５およびグローブ６は、左右対称に形成されている。回転灯ユニット７と、第１の固定灯ユニット８と、第２の固定灯ユニット９と、第１〜第７の反射板１１，１２，１３，１４，１５，１６，１７とは、それぞれ左右対称に一対で配置されている。以下では、左右方向に関しての警光灯１の一方の側の部分に則して説明するが、他方の側の部分についても同じである。
【００１７】
基台５は、中央部２２と、この中央部２２からそれぞれ斜め後方へ延設され中央部２２よりも低位の左右一対の翼部２３とを含んでいる。基台５は、平面視でＶ字型をなす。各翼部２３は、基端２４と、延設端２５とを有している。各翼部２３の基端２４が中央部２２に固定されている。また、各翼部２３の下面に、取付金具３が固定されている。各翼部２３の上面は、中央部２２の上面よりも低く形成されている。
【００１８】
グローブ６は、基台５の上面と、回転灯ユニット７と、第１の固定灯ユニット８と、第２の固定灯ユニット９と、第１〜第７の反射板１１，１２，１３，１４，１５，１６，１７と、スピーカ２０のスピーカドライバ２７とを覆っている。グローブ６は、透光性部材により形成されている。グローブ６は、回転灯ユニット７および第１および第２の固定灯ユニット８，９から発せられた光を、周囲に透過することができる。
【００１９】
スピーカ２０は、入力された電気信号に応じて音を発するスピーカドライバ２７と、スピーカドライバ２７からの音を増幅するスピーカホーン２８とを有している。スピーカドライバ２７は、基台５の中央部２２の上面における後半部に配置されている。スピーカホーン２８は、基台５の中央部２２の下面に固定されている。スピーカドライバ２７は、コイル、振動板等を含んでいる。スピーカドライバ２７は、外部からの電気信号により駆動されて、音を発生させる。スピーカドライバ２７およびスピーカホーン２８は、ホーン型のスピーカ２０を構成している。
【００２０】
回転灯ユニット７は、基台５の各翼部２３の延設端２５の上面に支持されている。また、第１の固定灯ユニット８は、回転灯ユニット７側へ放光するように各翼部２３の基端２４の上面に固定されている。第２の固定灯ユニット９は、斜め前方へ向けて放光するように、基台５の中央部２２の上面における前半部に固定されている。
図２と図３を参照して、回転灯ユニット７は、光源３１と、この光源３１の周囲を回転中心軸線３５の回りに回転しつつ光源３１からの光を反射する反射鏡３２と、この反射鏡３２を回転させる駆動機構３３と、ベース３４とを有している。回転灯ユニット７は、その全周にわたり光源３１からの光を回転放光する。
【００２１】
光源３１には、例えば、少なくとも一つの発光ダイオード（ＬＥＤともいう。）が用いられている。反射鏡３２は、光源３１からの光を所定の照射方向Ａ３，Ａ４に平行光にして反射する。照射方向Ａ３，Ａ４は、回転中心軸線３５に直交する方向であり、互いに逆向きの２方向である。ベース３４は、光源３１を固定するとともに、反射鏡３２を回転可能に支持している。反射鏡３２の回転中心軸線３５は、上下方向に沿って延びている。駆動機構３３は、駆動源としての電動モータ（図示せず）を含んでおり、制御部１９の制御のもとで、反射鏡３２を回転中心軸線３５の周りに回転させることができる。反射鏡３２が回転するのに伴って、反射鏡３２による反射光の照射方向Ａ３，Ａ４が徐々に変化する。これにより、光が水平方向の全周に向けて照射される。
【００２２】
第１の固定灯ユニット８は、光源としての複数の発光ダイオード３６（ＬＥＤ３６ともいう）と、この光源からの光を所定の照射方向Ａ１に向けて照射する反射鏡３７とを含んでいる。ＬＥＤ３６は、制御部１９の制御のもとで、点滅することができる。反射鏡３７は、断面放物線形状に形成されており、複数のＬＥＤ３６から放射された光を反射することにより平行光にする。この平行光は、例えば、水平方向に沿っており、且つ基台５の翼部２３が延びる方向Ｘ２に平行である。また、反射鏡３７と回転灯ユニット７の反射鏡３２との少なくとも一部同士が、同じ高さ位置に配置されている。
【００２３】
具体的には、３つのＬＥＤ３６は、横方向（上下方向Ｚ１とは直交する方向に相当する。）に並んで、互いに離隔して配置されている。各ＬＥＤ３６は、光軸を有している。この光軸に沿う光が、最も強く放射されるようになっている。ＬＥＤ３６の光軸は、反射鏡３７の照射方向Ａ１と平行に設定されている。
また、第１の固定灯ユニット８が回転灯ユニット７側へ放光するようにされている。具体的には、平面視で、第１の固定灯光の少なくとも一部が回転灯ユニット７を通るようにされている。ここで、第１の固定灯光は、ＬＥＤ３６からの直接光と、この光が反射鏡３７により反射されてなる反射光との少なくとも一方を含む。
【００２４】
第１〜第７の反射板１１，１２，１３，１４，１５，１６，１７は、それぞれ、表裏の両面に平面状の反射面を形成している。
図４は、図１の警光灯１の平面視での模式図であり、回転灯光の照射状態を示す。図５は、図１の警光灯１の平面視での模式図であり、第１の固定灯光の照射状態を示す。図６は、図１の警光灯１の平面視での模式図であり、第２の固定灯光の照射状態を示す。図７は、図１の警光灯１の平面視での模式図であり、警光灯１の中央部から後方Ｂ１への光の照射状態を示す。
【００２５】
図２と図５を参照して、第１の反射板１１および第２の反射板１２は、各翼部２３において回転灯ユニット７および第１の固定灯ユニット８の間に配置されている。第１の反射板１１は、第１の固定灯光Ｌ２１，Ｌ２２を前方Ｆ１に向けて反射する。第２の反射板１２は、第１の固定灯光Ｌ２４を後方Ｂ１に向けて反射する。
第３の反射板１３は、各翼部２３において第２の反射板１２よりも後方に配置されている。ここで、「第２の反射板１２よりも後方」は、真後ろの位置と、真後ろの位置から左右方向にずれた位置とを含む。第１の固定灯光Ｌ２５，Ｌ２６の一部が、第１の反射板１１および第２の反射板１２を避けて、第３の反射板１３に達するようになっている。
【００２６】
図３と図５を参照して、第３の反射板１３は、複数のスリット４０を含んでいる。第３の反射板１３は、回転灯光を反射させる回転灯光反射面４１と、第１の固定灯ユニット８の第１の固定灯光を反射させる固定灯光反射面４２とを表裏に有している。
回転灯光反射面４１は、第３の反射板１３の一方の面に形成されており、この面においてスリット４０を区画している。固定灯光反射面４２は、第３の反射板１３の他方の面に形成されており、この面においてスリット４０を区画している。
【００２７】
図４を参照して、第３の反射板１３の回転灯光反射面４１は、回転灯光Ｌ３１を、斜め後方に向けて反射する。第３の反射板１３のスリット４０は、回転灯光Ｌ３２を通す。スリット４０を通った回転灯光Ｌ３２は、第４の反射板１４へ向けて照射される。
図５を参照して、第３の反射板１３の固定灯光反射面４２は、第１の固定灯光Ｌ２５を、第４の反射板１４へ向けて反射する。第３の反射板１３のスリット４０は、第１の固定灯光Ｌ２６を通す。スリット４０を通った固定灯光Ｌ２６は、斜め後方へ向けて照射される。
【００２８】
図７を参照して、第４の反射板１４の少なくとも一部（本実施形態では、一部）は、各翼部２３において、第１の固定灯ユニット８の後方に配置されている。第４の反射板１４は、回転灯光Ｌ３２および第１の固定灯光Ｌ２５を後方Ｂ１へ反射する。具体的には、第１の固定灯光Ｌ２５が第３の反射板１３の固定灯光反射面４２を介して第４の反射板１４で反射されてなる反射光Ｌ２と、回転灯光Ｌ３２が第３の反射板１３のスリット４０を通して第４の反射板１４で反射されてなる反射光Ｌ３とを重ね合わせて後方Ｂ１へ照射するようにしてある。
【００２９】
このときの反射光Ｌ３の照射方向は、回転灯ユニット７の反射鏡３２の回転に伴って角度範囲Ｄ１３で変化する。反射光Ｌ２と反射光Ｌ３とが重ね合わされるとは、回転灯ユニット７の反射鏡３２が回転するにつれて、平面視で反射光Ｌ２と反射光Ｌ３とが互いに平行になるときがあればよい。
図２と図４を参照して、第５の反射板１５は、基台５の翼部２３の上面において、第１の反射板１１に隣接して、第１の反射板１１よりも前方に配置されている。第５の反射板１５は、回転灯光Ｌ３３を、斜め前方へ向けて反射する。このときの照射方向は、回転灯ユニット７の反射鏡３２の回転に伴って角度範囲Ｄ１１で変化する。
【００３０】
また、第３の反射板１３および第５の反射板１５は、回転灯光を遮る。これにより、回転灯ユニット７の反射鏡３２の照射方向Ａ３，Ａ４は、回転灯ユニット７の反射鏡３２の回転に伴って角度範囲Ｄ１４で変化する。
本実施形態によれば、図４に示すように、回転灯ユニット７により、周囲の広い範囲からの視認性を高めることができる。また、図５に示すように、第１の固定灯ユニット８と第１から第４の反射板１１，１２，１３，１４とにより、前方および後方から見たときの視認性をより一層高めることができる。さらに、図７を参照して、第４の反射板１４は、基台５の中央部２２に近接して配置され、且つ回転灯光Ｌ３２および第１の固定灯光Ｌ２５を重ね合わせて後方Ｂ１に反射できる。従って、後方からの警光灯１の中央部の視認性を向上することができる。また、回転灯光Ｌ３２および第１の固定灯光Ｌ２５を、構造の簡素な共通の第４の反射板１４で反射させるので、製造コストを安価にできる。
【００３１】
なお、第３の反射板１３のスリット４０の幅は、警光灯１を周囲から見るときの通常の距離と比べて格段に小さく、且つ、スリット４０は複数ある。また、回転灯光Ｌ３２および第１の固定灯光Ｌ２５の照射方向は、通常、単一の方向ではなく、若干の広がりをもっている。その結果、警光灯１の中央部を後方から見るときには、反射光Ｌ２と反射光Ｌ３とは互いに重なって見えるようになる。従って、反射光Ｌ２と反射光Ｌ３とは、実質的に重なり合うといえる。
【００３２】
図２を参照して、本実施形態の第１の固定灯ユニット８は、複数のＬＥＤ３６から放射された光を反射することにより平行光にする反射鏡３７を含んでいる。この場合、ＬＥＤ３６の照射方向の指向性が高い場合であっても、第１の固定灯光を周囲から見たときに、面状に視認できる。従って、視認性をより一層高めることができる。また、ＬＥＤ３６の消費電力は少なくて済み、長寿命である。なお、第２の固定灯ユニット９においても同様の効果を得ることができる。
【００３３】
図４を参照して、回転灯ユニット７と第５の反射板１５とにより、左右斜め前方から見たときの視認性をより一層高めることができる。
図２と図６を参照して、第２の固定灯ユニット９は、第１の固定灯ユニット８と同じに構成されている。第２の固定灯ユニット９については、第１の固定灯ユニット８との相違点を中心に説明する。第２の固定灯ユニット９の構成については、第１の固定灯ユニット８の対応する構成と同じ符合を付して、説明を省略する。
【００３４】
第２の固定灯ユニット９の反射鏡３７は、第２の固定灯ユニット９の光源としての複数のＬＥＤ３６から放射された光を反射することにより平行光にする。この平行光は、斜め前方に向けて照射される。
第６の反射板１６および第７の反射板１７は、基台５の中央部２２の上面における前半部において、第２の固定灯ユニット９に対してその照射方向Ａ２側に配置されている。第６の反射板１６は、第２の固定灯光Ｌ５１を前方Ｆ１に向けて反射する。第７の反射板１７は、第２の固定灯光Ｌ５２を前方Ｆ１に向けて反射する。
【００３５】
第６の反射板１６および第７の反射板１７は、横方向に互いに離隔して配置されている。第６および第７の反射板１６，１７の間を、第２の固定灯光Ｌ５３が通るようになっている。ここを通る第２の固定灯光Ｌ５３は、斜め前方に向けて照射される。
第２の固定灯ユニット９と第６の反射板１６と第７の反射板１７とにより、前方および左右斜め前方から見たときの視認性をより一層高めることができる。
【００３６】
図１と図３を参照して、第１、第３、第５、第６および第７の反射板１１，１３，１５，１６，１７のそれぞれは、複数のスリット４０を有している。また、図示しないが、第２および第４の反射板１２，１４にスリット４０を形成することも考えられる。第１〜第７の反射板１１，１２，１３，１４，１５，１６，１７のうちの少なくとも一つが、複数のスリット４０を含むことにより、警光灯１の視認性をより一層高めることができる。
【００３７】
スリット４０は、当該スリット４０が形成された第１〜第７の反射板１１〜１７の表裏の両面を貫通している。各スリット４０は、上下方向に延びており、反射面により区画されている。複数のスリット４０は、横方向に並んでいる。
図５を参照して、第１の固定灯光Ｌ２３は、第１の反射板１１のスリット４０を通り、斜め後方に向けて照射される。
【００３８】
図４を参照して、回転灯光Ｌ３４は、第５の反射板１５のスリット４０を通り、斜め前方へ向けて照射される。このときの照射方向は、回転灯ユニット７の反射鏡３２の回転に伴って角度範囲Ｄ１２で変化する。
図６を参照して、第２の固定灯光Ｌ５４は、第６の反射板１６のスリット４０を通り、斜め前方へ向けて照射される。第２の固定灯光Ｌ５５は、第７の反射板１７のスリット４０を通り、斜め前方へ向けて照射される。
【００３９】
図８は、制御部１９のタイミングチャートであり、縦軸に回転灯ユニット７の反射鏡３２の回転角度Ｄ１と、第１の固定灯ユニット８の点灯（ＯＮ）および消灯（ＯＦＦ）に対応する指令信号とを示し、横軸に経過時間ｔを示す。図７および図８を参照して、制御部１９は、第４の反射板１４で反射された反射光Ｌ２，Ｌ３が後方から見たときに点滅して見えるように、第１の固定灯ユニット８の点滅の点灯タイミングｔ１〜ｔ２，ｔ３〜ｔ４と回転灯ユニット７の回転灯光Ｌ３２が第３の反射板１３のスリット４０を通る通過タイミングｔ５〜ｔ６，ｔ７〜ｔ８との少なくとも一方を制御することにより、上述の点灯タイミングと上述の通過タイミングとを互いに同期させるようにしてある。
【００４０】
これにより、後方から見たときに、第４の反射板１４からの反射光Ｌ２，Ｌ３が、点滅して見えるので、視認性をより一層高めることができる。ここで、点灯タイミングｔ１〜ｔ２，ｔ３〜ｔ４の少なくとも一部と通過タイミングｔ５〜ｔ６，ｔ７〜ｔ８の少なくとも一部とが互いに一致すればよい。
具体的には、制御部１９は、第１の固定灯ユニット８を所望のタイミングで点滅させることができる。点灯させているタイミングである点灯タイミングを以下のように制御する。回転灯ユニット７の回転灯光が第３の反射板１３のスリット４０を通る通過タイミングｔ５〜ｔ６，ｔ７〜ｔ８の中心タイミングｔ１１，ｔ１２と、点灯タイミングｔ１〜ｔ２，ｔ３〜ｔ４の中心ｔ１３，ｔ１４とを互いに同期させるようにしている。これにより、第４の反射板１４で反射された反射光Ｌ２，Ｌ３が点滅して見える。
【００４１】
また、制御部１９は、回転灯ユニット７の反射鏡３２の回転角度Ｄ１を検出することができる。例えば、回転灯ユニット７の駆動機構３３の電動モータの出力軸の回転角度が検出される。検出には、電動モータの出力軸の回転角度を検出する角度検出センサ（図示せず）が用いられる。角度検出センサが制御部１９に接続されている。または、出力軸の回転角度を所望の角度に制御可能な電動モータとしてのステッピングモータを用い、このステッピングモータを制御部１９により制御するようにしてもよい。
【００４２】
回転灯ユニット７の反射鏡３２の照射方向Ａ３が真正面に向いたときを、反射鏡３２の回転角度Ｄ１が０度であるとする。回転灯ユニット７の反射鏡３２の回転角度Ｄ１が所定角度範囲（例えば、８０〜１００度および２６０〜２８０度）内の値になったとき（上述の通過タイミングｔ５〜ｔ６，ｔ７〜ｔ８に相当する。）に、回転灯ユニット７の回転光Ｌ３２が、第３の反射板１３のスリット４０を介して第４の反射板１４に達する。そして、その反射光Ｌ３が、後方から視認される。
【００４３】
また、回転灯ユニット７の反射鏡３２の回転角度Ｄ１が所定角度（例えば、９０度および２７０度）になったとき（上述の通過タイミングの中心ｔ１１，ｔ１２に相当する。）に、回転灯ユニット７の反射鏡３２の照射方向Ａ３と、第１の固定灯光Ｌ２５が第３の反射板１３の固定灯光反射面４２で反射された反射方向とが、互いに平行になる。その結果、後方から見たときに、回転灯光Ｌ３２と、第１の固定灯光Ｌ２５とがともに、第４の反射板１４を介して視認される。
【００４４】
また、第１の固定灯ユニット８の点灯周期と、回転灯ユニット７の回転放光の周期（本実施形態では、反射鏡３２の回転周期の半分に相当する。）とは、一致している。
具体的には、回転灯ユニット７の反射鏡３２の回転角度Ｄ１が、９０度±４５度の範囲内のときと、２７０度±４５度の範囲内のときとにおいて、制御部１９は、第１の固定灯ユニット８を点灯させている。上述した角度範囲外に反射鏡３２の回転角度Ｄ１があるときには、制御部１９は、第１の固定灯ユニット８を消灯させている。
【００４５】
なお、上述の点灯タイミングと上述の通過タイミングとが、互いにずれると、例えば、常時点灯しているように見える場合がある。
また、本実施形態について、以下のような変形例を考えることができる。以下の説明では、上述の実施形態と異なる点を中心に説明する。なお、他の構成については、上述の実施形態と同様である。
【００４６】
例えば、第４の反射板１４を、基台５の中央部２２に固定することも考えられる。また、第１、第２、第４〜第７の反射板１１，１２，１４，１５，１６，１７のうちの任意の少なくとも一つの反射板のスリット４０を廃止することや、第５〜第７の反射板１５，１６，１７の少なくとも一つを廃止することも考えられる。
また、第１および第２の固定灯ユニット８，９の少なくとも一方を常時点灯させることや、第１および第２の固定灯ユニット８，９の少なくとも一方を回転灯ユニット７の反射鏡３２の回転角度とは無関係な任意のタイミングで点滅させることも考えられる。これらの場合には、警光灯１の中央部を後方からみたときには、光の強弱が変化し、その視認性が向上する。また、第２の固定灯ユニット９を廃止することも考えられる。その他、特許請求の範囲に記載された事項の範囲で種々の設計変更を施すことが可能である。
【符号の説明】
【００４７】
１…警光灯
５…基台
７…回転灯ユニット
８…第１の固定灯ユニット
１１…第１の反射板
１２…第２の反射板
１３…第３の反射板
１４…第４の反射板
１９…制御部
２２…中央部
２３…翼部
２４…基端
２５…延設端
３６…ＬＥＤ
３７…反射鏡
４０…スリット
４１…回転灯光反射面
４２…固定灯光反射面
Ｆ１…前方
Ｂ１…後方
Ｌ２，Ｌ３…反射光
Ｌ２１〜Ｌ２５…第１の固定灯光
Ｌ３１，Ｌ３２…回転灯光
ｔ１〜ｔ２，ｔ３〜ｔ４…点灯タイミング
ｔ５〜ｔ６，ｔ７〜ｔ８…通過タイミング
【図１】
2011146303.tif 000003
【図２】
2011146303.tif 000004
【図３】
2011146303.tif 000005
【図４】
2011146303.tif 000006
【図５】
2011146303.tif 000007
【図６】
2011146303.tif 000008
【図７】
2011146303.tif 000009
【図８】
2011146303.tif 000010